(57)【要約】      （修正有）【課題】片手でのワンタッチ操作性、荷重積載時の耐性、衣服を吊るした際の剛性（保持性）を備えつつも、構造が複雑でなく、比較的少数の部品数で、廉価で製造し得る開閉式ハンガーを提供すること。【解決手段】開閉式ハンガー１は、それぞれ把持部２２及びアーム２３を備えて形成される第1部１０及び第2部２０が連結支点３０を中心に回動自在に連結されてなる開閉式ハンガーにおいて、把持部及びアームは、第1部及び第2部に係る把持部を近づける方向に回動させることで互いのアームが開く方向に回動し、該互いの把持部を遠ざける方向に回動させることで互いのアームが閉じる方向に回動するような角度を形成し、第１部に係る把持部、第２部に係る把持部、連結支点のうち少なくともいずれかにフック５０が連結され、第１部に係る把持部及び第２部に係る把持部はストッパ機構４０によって係止状態が維持されることを特徴として構成される。【選択図】図１
2007143749.tif 000002
【特許請求の範囲】
【請求項１】
それぞれ把持部及びアームを備えて形成される第1部及び第2部が連結支点を中心に回動自在に連結されてなる開閉式ハンガーにおいて、
前記把持部及びアームは、前記第1部及び第2部に係る把持部を近づける方向に回動させることで互いのアームが開く方向に回動し、該互いの把持部を遠ざける方向に回動させることで互いのアームが閉じる方向に回動するような角度を形成し、
前記第１部に係る把持部、第２部に係る把持部、連結支点のうち少なくともいずれかにフックが連結され、
前記第１部に係る把持部及び第２部に係る把持部はストッパ機構によって係止状態が維持され、
前記第１部に係る把持部及び第２部に係る把持部には指掛機構を設け、かかる指掛機構による指掛作用点位置が前記連結支点位置より上部となるように形成される
ことを特徴とする開閉式ハンガー。
【請求項２】
前記ストッパ機構は、前記第1部に係る把持部にストッパ支点を介して設けられるストッパと前記第２部に係る把持部に設けられ該ストッパと嵌合する係止部とを備え、
前記ストッパは、自由端部と、爪を設けた係合端部と、該自由端部を押圧すると該爪が嵌合を解き該押圧を解除すると該爪が嵌合する方向に付勢される弾性機構とを備えることを特徴とする請求項１記載の開閉式ハンガー。
【請求項３】
前記フックには、指をかけるためのフック部指掛機構が設けられることを特徴とする請求項１記載の開閉式ハンガー。
【請求項４】
前記第１部及び第２部の互いのアームが閉じた状態においては前記連結支点下部に空隙が形成されるように、該第１部及び第２部の突合箇所が湾曲されてなることを特徴とする請求項１記載の開閉式ハンガー。
【発明の詳細な説明】
【技術分野】
【０００１】
本発明は、たとえば開閉式ハンガーに係り、特に片手でのワンタッチ操作性に優れ対荷重剛性を備える開閉式ハンガーに関する。
【背景技術】
【０００２】
これまで、例えば、衣服をハンガーにかけるにあたり、アームを片手で容易に開閉することができる開閉式ハンガーが提案されてきた。
【特許文献１】特開２００１−２８６３８２号公報
【特許文献２】特開２００３−２９９５６５号公報
【特許文献３】特開２００４‐２３０１１２号公報
【特許文献４】特開２００３‐３３４４００号公報
【特許文献５】特開平８−１４１２８７号公報
【特許文献６】実開平６−７２４８０号公報
【特許文献７】実用新案登録第３０６６６０２号
【発明の開示】
【発明が解決しようとする課題】
【０００３】
しかしながら、上記特許文献１記載のハンガーでは、片手での操作性・荷重積載時の耐性は肯定的に評価されるものの、機構が複雑で部品点数が多く、日常生活に資する日用品として廉価で提供することが困難であり、故障時の対応も専門家に依存せざるを得ない。
【０００４】
上記特許文献２記載のハンガーでは、片手での操作性及び廉価流通性は果たされるものの、その構造上、必然的に荷重積載時の耐性が一定の範囲に限定される。
【０００５】
上記特許文献３記載のハンガーは、特許文献２記載のハンガーのかかる荷重積載時耐性を改善するものであるが、そのために部品点数が増え、製造容易性、廉価流通性において不満点を指摘せざるを得ない。
【０００６】
これら以外では、たとえば、上記特許文献４記載のハンガー等においては、廉価流通性が満足されるものの、衣服を吊るした際の剛性（保持性）に弱点がある。
【０００７】
また、上記特許文献５記載のハンガーは、「引っ掛ける部分」（４）を物干し竿に引っ掛けることで初めて開状態が固定される構造であり、当該部分（４）が物干し竿から取り外された状態では開状態の保持が困難であって安定性に欠ける。
【０００８】
また、上記特許文献６記載のハンガーは、止め具４の構造上、ハンガーの閉状態から開状態に移行させるのには本体２の止め具との嵌合部分を一端止め具４を素通りさせてから逆方向（本体１及び２を閉じる方向）にスライドさせて止め具４と嵌合させねばならないため、両手での操作を余儀なくされ、片手での操作を行うには適しない。
【０００９】
また、上記特許文献７記載のハンガーは、その構造上、洗濯物が干されるとその荷重が左右のアーム３にかかりこれによるモーメントが支軸６を回転中心としてアームが閉じるように働き、これに抗してアーム開状態を保持するにはねじりコイルバネの抗力を大きく設定せざるを得ない一方、ねじりコイルバネの抗力が大きいほどアーム閉時の左右の握り力が大きく必要となるため使用勝手が良好とはいえず、逆に左右の握り力を一定以内で収まるようにねじりコイルバネの抗力を設定すると（特に洗濯物が濡れた状態での）開状態の保持が困難である。その上、その機構上、部品点数が必然的に多くなり、コスト的に過大な負担を生ずる。
【００１０】
本発明は、このような従来技術上の問題点を解決するためになされたもので、ワンタッチでの簡易な操作でアームの開閉動作及び開状態の保持が可能であり、かつ、片手での操作性、荷重積載時の耐性、衣服を吊るした際の剛性（保持性）に優れつつも、構造が複雑でなく、比較的少数の部品数で実現できる開閉式ハンガーを提供することを目的とする。さらにいえば、故障時の対応が専門家でなくとも可能であり、廉価で製造し得る開閉式ハンガーを提供することを目的とする。
【課題を解決するための手段】
【００１１】
かかる目的を達成するために、本発明に係る開閉式ハンガーは、それぞれ把持部及びアームを備えて形成される第1部及び第2部が連結支点を中心に回動自在に連結されてなる開閉式ハンガーにおいて、前記把持部及びアームは、前記第1部及び第2部に係る把持部を近づける方向に回動させることで互いのアームが開く方向に回動し、該互いの把持部を遠ざける方向に回動させることで互いのアームが閉じる方向に回動するような角度を形成し、前記第１部に係る把持部、第２部に係る把持部、連結支点のうち少なくともいずれかにフックが連結され、前記第１部に係る把持部及び第２部に係る把持部はストッパ機構によって係止状態が維持され、前記第１部に係る把持部及び第２部に係る把持部には指掛機構を設け、かかる指掛機構による指掛作用点位置が前記連結支点位置より上部となるように形成されることを特徴として構成される。
【００１２】
この場合の「把持部」とは、ハンガーのフック（たとえば物干竿にかける部分）とアーム（たとえば衣服をかける部分）とを繋ぐ部位を人間の手で握れる大きさ・形状に変形させたものをいう。かかる把持部を含む第１部もしくは第２部は、その全体もしくは一部を、たとえば合成樹脂、金属、木材等一定の剛性を有するあらゆる材料を用いて実現し得る。
【００１３】
また、アームは、（湿乾を問わず）衣服が懸けられる状態を保持することが可能な一定の剛性を持つあらゆる材質、或いはあらゆる形状を含んでよい。たとえば、材料としてはプラスチック、金属、木、合成樹脂他限定はなく、断面は棒状、略直方体状他限定はなく適用可能であり、形状は直一本物に限らず、たとえば自由端部或いは下部に衣服吊り下げ用小フックを付設したもの、自由端部を弧状に湾曲させたもの等であってもよい。
【００１４】
第１部及び第２部は、これらの把持部及びアームが一体形成されて、或いは連接されて形成され、連接支点を中心に回動可能であるように構成される。
【００１５】
連接支点は、第１部及び第２部を連接するとともにこれを中心として回動させる機能を有するものであり、かかる機能を実現するものであれば特に形態・材質に限定はなく、たとえば、第１部、第２部のそれぞれの把持部の下端に断面的に異層配置させた突端（連結部）を設け、該第１部の突端と第２部の突端とが断面雄雌嵌合構造によって摺回動するような構造によって実現することもできるし、或いは、第１部、第２部のそれぞれの把持部の下端に断面的に異層配置させた突端（連結部）を設け、この突端に軸を嵌め込んで回動自在とした構造によって実現することもできる。
【００１６】
フックは、本開閉式ハンガーをたとえば物干竿、壁付フック等に懸けるための機能を実現するものであれば、材料、形態、種類を問わず、本願に適用可能である。たとえば、材料・種類としてはプラスチック、金属、木、合成樹脂その他各種適用可能であり、形態としてはクエスチョン・マーク状、Ｓ字状、角型等限定はなく、これらと把持部との連接形態もたとえば把持部と略垂直をなして連接されるのでもよく、或いはより広く約６０度〜約１５０度のいずれかの角度をなして連接されるものでもよい。また、このフックは第１部の把持部（たとえばその上端）、第２部の把持部（たとえばその上端）、連接支点のいずれに設けても良い。設けるにあたっては、把持部と一体形成してもよいし、或いは別個作成した物を連接形成してもよい。このフックは、第１部の把持部、第２部の把持部でなく、代替的に、たとえば上記連接支点上部位置に突き出す（たとえば上記連接部から略鉛直方向に束を立て、この束で支える）形態で該連接支点に連接して形成させてもよい。この場合には、第１部の把持部と第２部の把持部との突合箇所における当該フックの突き出し部分との取り合い位置に欠き込みを入れる、該突き出し部分を第１部、第２部と異層配置させるなど工夫するようにしてもよい。
【００１７】
ストッパ機構は、第１部に係る把持部と第２部に係る把持部とを緊結／離間させるための機能を有し、これを係止させるとアームが開状態になるとともに一定の荷重に抗してこの状態が保持され、これを開放させるとアームの開状態が解除される（当該アームの開状態が解除されると、両アーム遊端部近傍にかかる荷重、及び、第1部・第2部の自重の作用点が連接支点から離隔した位置に作用するモーメントによって、必然的に両アームが閉じるように作用する）動作が実現される機能を有する。かような機構を実現するものであれば限定なく本願に適用可能であり、たとえば、（後述する）物理的形態に基づくストッパ、磁石を用いた係止機構、電気による係止機構等であってもよい。また、ストッパ機構の設置位置は上記把持部のいずれかの場所でよいが、好適には、上部即ち連結支点からの距離が大きい位置に設ける。このようにすることで、連結支点を回転中心とするモーメント量が大きくなるので、ストッパ機構の係止／解除に要する力（荷重）を小さくすることができる。
【００１８】
指掛機構は、指（たとえば中指や薬指）を把持部に添えたときに把持部の外郭に沿って滑ることを防止する機能を有するものであればよく、たとえば、把持部外周に指のかかる形状に凹凸（窪みや出っ張り）を設ける、突起物を形成する、（指をかけられる）穴を穿つ、指がかかるテープや紐状のものを把持部に巻く等の方法で実現できる。指掛機構はこれらの総てを含むものである。
【００１９】
上記のように構成されることで、アームの閉時においては第１部と第２部の把持部の緊結を解くと、それぞれのアームが把持部と一定の角度を形成し略同一平面上に配置される形態上の特徴から、アームの自重（及び洗濯物の荷重）が連結支点を回転軸とするアームを閉じる方向のモーメントを生じ、これにより第１部と第２部が連結支点を軸に把持部が互いに離間する方向に回転すると共にアームが閉じるので、衣類の襟ぐりからハンガーの着脱が容易にできる。一方、アームの開時においては、第１部と第２部が連結支点を軸に把持部が互いに接近する方向に回転させる。このとき、指掛機構による指掛作用点位置が連結支点位置より上部となるため、連結支点を中心とした回転モーメントが把持部を閉じる方向（アームを広げる方向）に作用することになり、この結果、それぞれのアームが持ちあがるようにして開いてゆく。ついには第１部及び第２部の把持部が互いに突合する位置にまでアームが開くと、ストッパ機構の機能により把持部同士が緊結・固定されるので、両アームが開いた状態を保持できる。また、このとき、両アームに（たとえば濡れた洗濯物による）荷重が加わっても、上記特許文献２のような作用点―支点―反作用点のような両アームの連結部が持ちあがる構造とはならず、純粋にアームの剛性のみで荷重を受けることができるので、荷重積載時の耐性を強く維持できる。
【００２０】
また、このとき、前記ストッパ機構は、前記第1部に係る把持部にストッパ支点を介して設けられるストッパと前記第２部に係る把持部に設けられ該ストッパと嵌合する係止部とを備え、前記ストッパは、自由端部と、爪を設けた係合端部と、該自由端部を押圧すると該爪が嵌合を解き該押圧を解除すると該爪が嵌合する方向に付勢される弾性機構とを備えるように構成しても良い。ここで、ストッパに設ける爪とこれに嵌合する係止部とは、好適には、外れにくい角度、即ち、鉛直でなく鋭角にして、外れる方向の力（引張力）が作用するときには互いに抵抗力を生ずるような角度をもって形成する。また、このストッパ（爪を含む）、係止部は把持部と同一部材で一体成型してもよいし、同一／異質材料で別途成型したものを取りつけるようにしてもよい。さらには、この「弾性機構」は、好適には、一部品で作製し得る観点から、平面の折曲構造を用いて実現するが、平面の折曲構造に限らず、バネ（スプリング）、ゴム、クッション等によっても実現することができる。
【００２１】
このように構成することで、第１部及び第２部の把持部が互いに突合する位置においては、ストッパの爪が係止部に係合し、これを外そうとする力（両アームを閉じようとする方向の回転モーメント）が作用しても、爪と係止部とが互いに鋭角をなしている形状から、互いに引張力に抵抗する力を生ずるので、アームの開状態の保持を安定化できる。よって、ストッパの係止部への係合・固定をさらに強固にすることが可能となる。
【００２２】
また、前記フックには、指をかけるためのフック部指掛機構が設けられるように構成しても良い。フック部指掛機構は上記の指掛機構と同様の構成を有するように形成しても良いし、或いはフック部の底に当る部位を凹状に形成して指をかけられるようにしたもので実現しても良い。
【００２３】
このように構成することで、たとえば、人差し指をフック部指掛機構に、中指及び薬指を把持部の指掛機構（たとえば凹凸形状をなす部位）に、親指をストッパの自由端部（爪と反対側端部）に、それぞれそなえるように操作することで、片手での操作性をさらに向上させることができる。
【００２４】
また、前記第１部及び第２部の互いのアームが閉じた状態においては前記連結支点下部に空隙が形成されるように、該第１部及び第２部の突合箇所が湾曲されてなるように構成しても良い。このように構成することで、上記の操作の場合にたとえば薬指を連結支点下部に形成された空隙に挿入させることが可能となり、アーム閉時であっても連結支点下部に載置された指で本ハンガー全体を引っ掛けるようにして保持させることができる。これにより、アームを閉じる操作を行っても指をはさんだり痛めたりすることがない。
【発明の効果】
【００２５】
本発明は、上記のように構成されるので、丸首シャツやトレーナー等の襟ぐりから容易にハンガーの着脱ができ、襟ぐりを伸ばしたり、痛めることがないばかりか、ハンガーに洗濯物を着脱する作業がワンタッチで簡素化でき、しかも開状態の保持が簡単に安定的にできる。さらに、衣類をハンガーに容易に着脱できるため、アームを長くし衣類の肩落ちを防ぐことができる。また、ハンガーを使用しない時は纏めてコンパトクトに収納、携帯できる。しかも、洗濯したものを干す場合のように一定の荷重が加わる場合でも、撓みによって洗濯物がずり落ちる事態を防止することができる。しかも、これらを比較的簡便な構造で実現できる。
【００２６】
したがって本発明によれば、片手でのワンタッチ操作性、荷重積載時の耐性、衣服を吊るした際の剛性（保持性）を備えつつも、構造が複雑でなく、比較的少数の部品数で、しかも専門家でなくとも故障時の対応が可能で、製造についても廉価で行うことが可能となる。
【発明を実施するための最良の形態】
【００２７】
以下、図面を参照して本発明を実施するための最良の形態について説明する。
【００２８】
図１は、本発明の一実施形態に係る開閉式ハンガーの全体像を示す平面図である。同図に示すように、本発明の一実施形態に係る開閉式ハンガー１は、第１部（左側）１０と、第２部（右側）２０とが連結部３０において互いに回動自在に連結されて構成され、フック５０が第１部（左側）１０に連接されて構成される。ここで、フック５０は、第１部（左側）１０に替えて、第２部（右側）２０或いは連結部３０に連接させるように構成しても良い。
【００２９】
図２乃至４は、第１部（左側）１０の詳細な構成を示すものであり、図２はその平面図を、図３は図２のA方向から見た側面図を、図４は図３のX-X断面図を、それぞれ示す。これらに示されるように、第１部（左側）１０は、（フック５０がその上部に連接される）把持部１２とアーム１３とが一体的に、或いは連接されて形成される。これらはたとえば、合成樹脂、金属、木等の一定の剛性を有する材料で一体的に形成してもよいし、部分的に同一もしくは相異なる材料を用いて生成したものを連結して形成しても良い。また、フック５０、把持部１２、アーム１３は、略同一平面上に形成されるのが好ましいが、これに限定されるものではない。
【００３０】
フック５０は、たとえば物干し竿や壁面等に懸けるための部位であり、一定の剛性を有する。図３では、例として合成樹脂によって、フックの先端以外は中抜きの構成を示すが、これに限定されるものではない。フック５０は把持部１２の表面と断面略９０度〜１５０度（より好ましくは１００度〜１３０度程度）の角度で交わり、交わり部が凸部を形成するように構成する。このフック５０のたとえば底部の第２部に近接した箇所に設けるフック部指掛部５０Aは凹状に形成し、たとえば右手の人差し指をかけることが可能である。
【００３１】
把持部１２は、ここをたとえば右手の中指・薬指で把持できるように、一定の剛性を有する材料で構成する。握り易くするために、指掛部（たとえば、指が落ち着く凹部）１２Aを形成するようにしてもよい。また、把持部１２の内側上部（フック５０との連接位置付近）には（後述する）ストッパ機構のための係止部１４が一体形成される。係止部１４は上に開く略凹断面でたとえば幅が把持部１２の内厚に略等しい長さを有する。係止部１４の第２部２０側にはストッパ４０の爪４０Aが係止するための突起部１４Aが設けられる。このストッパ４０の爪４０Aとこれに嵌合する係止部１４の突起部１４Aとは、外れにくい角度、即ち、第1部と第２部の把持部とが離間する方向の力（突起部１４Aと爪４０Aとが押し合う方向に力（圧縮力））が作用するときには互いに抵抗力を生ずるような角度（係止部突起部１４Aと係止部底部１４Bとのなす角度が鋭角で好適には略６０度〜８０度）をもって形成する。
【００３２】
なお、指掛部１２Aとしては、上記に限らず、指（たとえば中指や薬指）を把持部１２に添えたときに把持部１２の外郭に沿って滑ることを防止する機能を有するものであればよく、たとえば、把持部１２の外周に指のかかる形状に凹凸（窪みや出っ張り）を設ける、突起物を形成する、（指をかけられる）穴を穿つ、指がかかるテープや紐状のものを把持部に巻く等の方法（各々図示しない）で実現してもよい。
【００３３】
アーム１３は、把持部１２の下端に略９０度〜１２０度（より好適には略１００度〜１１０度）程度の角度で接合若しくは連接、或いは一体形成され、一定の剛性を有する。断面は棒状、略直方体状他限定はなく適用可能であり、形状は直一本物に限らず、たとえば自由端部或いは下部に衣服吊り下げ用小フックを付設したもの、自由端部を弧状に湾曲させたもの等であってもよい。図４においては、荷重積載の際の剛性を強固にする意味で中身が中空としない場合を示しているがこれに限定されるものではない。また、アーム１３の把持部１２との取合い部１３Bは、好適には（上部側に弧をなすように）湾曲形成してアーム１３、２３を閉じた際に空隙を形成するようにさせる。
【００３４】
アーム１３の把持部１２との接合部突端には回動連結部３０を形成する雄側構造３０Aが（一体）形成される。
【００３５】
図５乃至７は、第２部（右側）２０の詳細な構成を示すものであり、図５はその平面図を、図６は図５のB方向から見た側面図を、図７は図６のY-Y断面図を、それぞれ示す。これらに示されるように、第２部（右側）２０は、把持部２２、アーム２３が一体的に、或いは連接されて形成される。これらはたとえば、合成樹脂、金属、木等の一定の剛性を有する材料で一体的に形成してもよいし、部分的に同一もしくは相異なる材料を用いて生成したものを連結して形成しても良い。把持部２２には、上記と同様に、握り易くするために、指掛部（たとえば、指が落ち着く凹部）２２Aを形成するようにしてもよい。把持部２２及びアーム２３については、把持部１２及びアーム１３と同様な箇所についての説明を省略する。アーム２３の把持部２２との取合い部２３Bを好適には湾曲形成する点も上記と同様である。
【００３６】
把持部２２の上部には、回転軸４１を介してストッパ４０が一定範囲に回動（微摺動）可能に結合される。かかるストッパは、たとえば、合成樹脂、金属、木等の一定の剛性を有する材料で構成することができる。ストッパ４０の第１部１０との係合側突端には爪４０Aが一体的に形成される。爪４０Aは先に説明したように、係止部１４の突起部１４Aと係止し、ハンガーの開状態を固定するのに資する。ストッパ４０は、好ましくは、図５でC方向の荷重（たとえば把持部１２，２２をグリップした状態で親指による押下荷重）が加わった際にこれと反発する方向に付勢する一定の弾性を備えるように構成する。弾性を有する構造（「弾性構造」ともいう。）としては、たとえば図５に示すような樹脂・金属等の平板を折り曲げて一定の剛性を持たせたものを利用してもよいし、これ以外にも、スプリング、クッション等をストッパ４０の下部で第２部２０の内側に固定させるよう構成することでも実現することができる（図示しない）。また、把持部２２内側上部にはストッパ４０が必要以上に移動するのを防止するためのピン４２（自由回動の止め）を配設するように構成しても良い。このピン４２は、把持部２２の製造時に一体的に同時形成してもよいし、別途生成して後付してもよい。
【００３７】
アーム２３の把持部２２との接合部突端には回動連結部３０を形成する雌側構造３０Bが（一体）形成される。先に説明した雄側構造３０Aと雌側構造３０Bとが回動自在に係合する。
【００３８】
次に、上記のように構成される本発明に係る開閉式ハンガー1の機能・使用法を説明する。図８及び９は、本発明に係る開閉式ハンガー1の機能・使用法を説明するための概念的斜視図であり、図８はアームの開状態を、図９はアームの閉状態をそれぞれ示す。
【００３９】
図８に示すようなアームの開状況においては、たとえば親指がストッパ４０の自由端に、人差し指がフック５０のフック部指掛部５０Aに、中指が把持部１２の指掛部１２Aに、薬指が回動連結部３０の下部、アーム１３、２３の把持部１２、２２との取合い部１３B、２３Bとで形成される空隙に、それぞれ添えられる。
【００４０】
ここで、同図に示されるように、ハンガーを閉じようとする。ストッパ４０の自由端に掛けられた親指が下に押下する力を加えると、（下部に説明するように）ストッパ４０の爪４０Aと係止部１４の突起部１４Aとの係合・固定（ロック）が解除され、第１部１０と第２部２０が連結点（回動連結部）３０を軸に両把持部１２、２２が互いに離間する方向（同図のCLOSE方向）に回転する。つまり、第１部と第２部の把持部１２、２２の緊結を解くと、それぞれのアーム１３、２３が把持部１２、２２と一定の角度を形成していて略同一平面上に配置されるという形態上の特徴から必然的に、アーム１３、２３の自重による荷重（及び洗濯物の荷重）が連結点（回動連結部）３０を回転軸としてアームを閉じる方向のモーメントを生み、これにより第１部１０と第２部２０とが連結点（回動連結部）３０を軸に把持部１２、２２が互いに離間する方向に回転する。ついにはアーム１３、２３が突合して閉じる（図９）ので、衣類の襟ぐりからハンガーの着脱が容易にできることになる。
【００４１】
一方、図９に示すようなアームの閉状況においては、たとえば親指が把持部２２の指掛部２２Aに、人差し指はフック５０のフック部指掛部５０Aに、中指は把持部１２の指掛部１２Aに、薬指が回動連結部３０の下部、アーム１３、２３の把持部１２、２２との取合い部１３B、２３Bとで形成される空隙１３B-23Bに、それぞれ添えられる。小指はたとえば、アーム１３の湾曲部１３Bの側方に遊置される。或いは人差し指及び中指は連結点（回動連結部）３０の上部にそれぞれ遊置されるようにしておいてもよい。
【００４２】
ここで、同図に示されるように、ハンガーを開こうとする。人差し指及び中指が連結点（回動連結部）３０の上部にそれぞれ遊置されていた場合には、人差し指はフック５０のフック部指掛部５０Aに、中指は把持部１２の指掛部１２Aに、それぞれ移動する。
【００４３】
把持部２２の指掛部２２Aに掛けられていた親指と、フック５０のフック部指掛部５０Aに配置された人差し指と、把持部１２の指掛部１２Aに配置された中指とで、手を握る方向に力を加えると、第１部１０と第２部２０とが連結点（回動連結部）３０を軸に両把持部１２、２２が互いに接近する方向に回転する。つまり、第１部１０と第２部２０とが連結点（回動連結部）３０を軸に両把持部１２、２２が互いに接近する方向に回転させられる。
【００４４】
つまり、指掛部１２Aによる指掛作用点位置１２０、２２０が連結点（回動連結部）位置３００より上部となるため、連結点（回動連結部）３０を中心とした回転モーメントが把持部１２、２２を閉じる方向（アーム１３、２３を広げる方向）に作用する（同図のOPEN）ことになり、この結果、それぞれのアーム１３、２３が持ちあがるようにしてアーム１３、２３が略水平に開いてゆく。ついには第１部１０及び第２部２０の両把持部１２、２２が互いに突合する位置（図１、図８の場合）においては、ストッパ４０の爪４０Aが係止部１４の突起部１４Aに係合し固定されるので、両アーム１３、２３が開いた状態を保持できる。また、このとき、両アーム１３、２３、特にその遊端部１３A、２３Aに近い位置に荷重が加わっても、上記特許文献２のような作用点―支点―反作用点のような両アームの連結部３０が上に持ちあがる構造とはならず、純粋に両アーム１３、２３の剛性のみで荷重を受けることができるので、荷重積載時の耐性を強く維持できる。
【００４５】
また、このとき、ストッパ４０には、下向き方向の荷重と反発する方向に付勢する弾性機構を備えるので、第１部１０及び第２部２０の両把持部１２、２２が互いに突合する位置（図１、図８の場合）においてのストッパ４０の係止部１４への係合・固定をさらに強固にすることが可能となる。さらには、ストッパ４０の爪４０Aとこれに嵌合する係止部１４の突起部１４Aとは、突起部１４Aと係止部底部１４Bとのなす角度が鋭角となるように形成されるので、第1部と第２部の把持部１２、２２が離間する方向に力が働く際でも、突起部１４Aと爪４０Aとが押し合う方向に力（圧縮力）が作用してかかる力に抵抗力が生ずるので、ストッパ４０の係止部１４への係合は余計に外れにくくなり、安定化する。
【００４６】
また、第１部１０においては、把持部１２には指のかかる形状に凹凸形状部（指掛部の一態様）１２Aが設けられ、フック５０のフック部指掛部５０Aにおいては凹部が形成されるため、人差し指をフックのフック部指掛部５０Aに、中指及び薬指を把持部１２の凹凸形状部１２Aに、親指をストッパ４０の遊端部（爪と反対側端部）に、それぞれ添えるようにして操作することで、片手でのワンタッチ操作性をさらに向上させることができる。
【００４７】
以上、詳細に説明したように、本発明に係る開閉式ハンガーによれば、丸首シャツやトレーナー等の襟ぐりから容易にハンガーの着脱ができ、襟ぐりを伸ばしたり、痛めることがないばかりか、ハンガーに洗濯物を着脱する作業が簡素化できる。さらに、衣類をハンガーに容易に着脱できるため、アームを長くし衣類の肩落ちを防ぐことができる。また、ハンガーを使用しない時は纏めてコンパトクトに収納、携帯できる。しかも、洗濯したものを干す場合のように一定の荷重が加わる場合でも、撓みによって洗濯物がずり落ちる事態を防止することができる。しかも、これらを比較的簡便な構造で実現できる。
【００４８】
したがって本発明によれば、片手でのワンタッチ操作性、荷重積載時の耐性、衣服を吊るした際の剛性（保持性）を備えつつも、構造が複雑でなく、比較的少数の部品数で、しかも専門家でなくとも故障時の対応が可能で、製造についても廉価で行うことが可能となる。
【００４９】
なお、本願発明は、上述した実施形態に限定されるものでなく、その技術思想の同一及び等価に及ぶ範囲において上述した実施形態への様々な変形、追加、置換、拡大、縮小等を許容するものである。たとえば、上記の説明では、組みたて時の便宜・効率（リード、大量生産性）等の観点から、型について適宜中抜きの態様の一例を示したが、このような中抜きは必須ではなく、また中抜きを行う場合でも上記で示した場合の態様に限定されずに各種形態が可能である。たとえば、上記では、アーム１３、２３の把持部１２、２２との取合い部１３B、２３Bを湾曲形成してアーム１３、２３を閉じた際に空隙を形成するようにする構成を例にとって説明したが、たとえば図１０に示すように、このような湾曲形態をとらないものでも本願に係る技術思想は適用可能である。
【００５０】
さらに、上述したものは本願に係る技術思想を具現化するための実施形態の一例を示したにすぎないものであり、他の実施形態でも本願に係る技術思想を適用することが可能である。たとえば、上記では弾性構造を平板の折り曲げ体として説明したが、一定の弾性を有するスプリング体、クッション材、構造体、一定弾性を有する新素材、弾性および緩衝性を具備するメカニズム等によって実現する可能性を排除するものではない。これらはすべて本願の技術思想の範囲に含まれる。
【００５１】
また、たとえば、上記の説明においては、開閉式ハンガー単体として本発明の技術思想を説明したが、本発明は、これらのハンガーが集合的に形成される物干し具として実現してもよく、本願はこれらの実施形態も包含するものである。
【００５２】
また、本願発明を用いて生産される装置、方法、システムが、その２次的生産品に登載されて商品化された場合であっても、本願発明の価値は何ら減ずるものではない。
【産業上の利用可能性】
【００５３】
本発明に係る開閉式ハンガーによれば、片手でのワンタッチ操作性、荷重積載時の耐性、衣服を吊るした際の剛性（保持性）を備えつつも、構造が複雑でなく、比較的少数の部品数で、しかも専門家でなくとも故障時の対応が可能で、製造についても廉価で行うことが可能となるので、日常品産業、福祉業等広く各産業に利用することができる。
【図面の簡単な説明】
【００５４】
【図１】本発明の一実施形態に係る開閉式ハンガーの全体像を示す平面図である。
【図２】本発明の一実施形態に係る開閉式ハンガーの第１部（左側）１０の詳細な構成を示す平面図である。
【図３】本発明の一実施形態に係る開閉式ハンガーの第１部（左側）１０の図２のA方向から見た側面図である。
【図４】本発明の一実施形態に係る開閉式ハンガーの第１部（左側）１０の図３のX-X断面図である。
【図５】本発明の一実施形態に係る開閉式ハンガーの第２部（右側）２０の詳細な構成を示す平面図である。
【図６】本発明の一実施形態に係る開閉式ハンガーの第２部（右側）２０の図５のB方向から見た側面図である。
【図７】本発明の一実施形態に係る開閉式ハンガーの第２部（右側）２０の図６のY-Y断面図である。
【図８】本発明の一実施形態に係る開閉式ハンガー（開状態）の機能・使用法を説明するための概念的斜視図である。
【図９】本発明の一実施形態に係る開閉式ハンガー（閉状態）の機能・使用法を説明するための概念的斜視図である。
【図１０】本発明の別の一実施形態に係る開閉式ハンガーの全体像を示す平面図である。
【符号の説明】
【００５５】
１  開閉式ハンガー
１０  第１部（左側）
１２  把持部
１２A  把持部表面に形成される凹部（指掛機構）
１３  アーム
１３A  アームの遊端部
１３B  アームの湾曲部
１３B-23B  連結支点下空隙
１４  係止部
１４A  係止部（の）突起部
１４B  係止部（の）底部
２０  第２部（右側）
２２  把持部
２２A  把持部表面に形成される凹部（指掛機構）
２３  アーム
２３A  アームの遊端部
２３B  アームの湾曲部
３０  回動連結部
３０A  雄側構造
３０B  雌側構造
４０  ストッパ
４０A  ストッパの爪
５０  フック
５０A  フック部指掛部（指掛機構）
１２０、２２０、５００  指掛作用点位置
３００  連結支点（回動連結部）位置
【図１】
2007143749.tif 000003
【図２】
2007143749.tif 000004
【図３】
2007143749.tif 000005
【図４】
2007143749.tif 000006
【図５】
2007143749.tif 000007
【図６】
2007143749.tif 000008
【図７】
2007143749.tif 000009
【図８】
2007143749.tif 000010
【図９】
2007143749.tif 000011
【図１０】
2007143749.tif 000012